(57)【要約】【課題】雄雌留め具を提供する。【解決手段】本発明の雄雌留め具は、包装箱体の連結具に係るもので、歯付き中間子を備え、さらに係止筒と、鍋形内歯中間子と、係止釘と、係止板とを備え、係止筒の内壁上に拘止突起構造が形成され、係止筒の一端が前記歯付き中間子に緊密に連結されることにより雌留め具に構成され、係止釘の一端に拘止釦構造が形成され、係止釘の他端が板状を呈する前記係止板に緊密に連結されることにより雄留め具に構成される。包装または開封の現場では、何ら工具に頼らずとも包装操作または開封操作を完了することができ、縫合予定の内板紙と外板紙に雌留め具と雄留め具をそれぞれ置き（雌留め具を外板紙に置く）、鍋形内歯中間子が両板紙の間に位置すれば、雄留め具を雌留め具に押圧されることでこれらの留め具を互いに係合させることになり、この結果、とても手軽に素早い操作が行えると共に、人手による労働強度の軽減化、速度の高速化、作業の高効率化、企業の包装コストの低減化、板紙を縫合させた包装箱の高品質化、及び外表美観の向上化を可能にする。【選択図】図１
2016520485.tif 000002
【特許請求の範囲】
【請求項１】
板状を呈し、その上に尖歯が形成される歯付き中間子を備える雄雌留め具であって、さらに係止筒と、鍋形内歯中間子と、係止釘と、係止板とを備え、
前記係止筒は両端底無しの筒体であり、前記係止筒の内壁上に拘止突起構造が形成され、前記係止筒の一端が前記歯付き中間子に緊密に連結されることにより雌留め具に構成され、
前記鍋形内歯中間子は鍋形を呈し、かつ中心位置に貫通孔が開設され、前記貫通孔の周縁が歯状を呈し、前記鍋形内歯中間子の前記貫通孔に前記係止筒が貫挿されることにより、前記鍋形内歯中間子と前記係止筒とが互いに拘止され、
前記係止釘は筒状または柱状を呈し、前記係止釘の一端に拘止釦構造が形成され、前記係止釘の他端が板状を呈する前記係止板に緊密に連結されることにより雄留め具に構成され、
前記係止釘の前記拘止釦構造が形成される一端が前記係止筒内に延びて挿入されることで前記拘止釦構造と前記拘止突起構造とを互いに拘束させ、これに従って前記雄留め具と前記雌留め具との係合が実現されることを特徴とする、雄雌留め具。
【請求項２】
前記係止筒の内壁上に形成される前記拘止突起構造は、前記係止筒の筒壁上に開設される条形洞から筒内に向けて延設される筒壁条であり、前記筒壁条の長さ方向が前記係止筒の長さ方向に沿って配置され、前記筒壁条が前記歯付き中間子に近接する一端が自由端であり、かつ筒内に向けて延設されて倒鉤(barb)のような拘止突起が形成され、前記筒壁条の他端が依然として筒体と一体になるように構成されることを特徴とする、請求項１に記載の雄雌留め具。
【請求項３】
前記筒壁条が少なくとも１本であることを特徴とする、請求項２に記載の雄雌留め具。
【請求項４】
前記係止釘の一端に形成される拘止釦構造は、前記係止釘の当該一端から周方向に延出して形成される凸鍔と、前記係止釘上に作製される台形段部とを備え、前記凸鍔が錐台状であり、かつ小径端が、前記係止釘の前記拘止釦構造が形成される一端が前記係止筒内に延びて挿入される伸縮方向の前端に位置するか、または前記凸鍔が錐形に製作され、その錐頂が、前記係止釘の前記拘止釦構造が形成される一端が前記係止筒内に延びて挿入される伸縮方向の前端に向かって形成され、これにより、前記拘止釦構造の前記凸鍔は、前記係止筒内に前記拘止突起を円滑に通過して後退不能に当接係止され、前記台形段部の小径端と前記凸鍔とを互いに接合し、前記台形段部は、前記係止釘の前記拘止釦構造が形成される一端に備えられ、前記係止筒内に延びて挿入されることで前記筒壁条が依然として内向きに伸展していて前記凸鍔と当接係止して空間を空けることを特徴とする、請求項１に記載の雄雌留め具。
【請求項５】
前記歯付き中間子上に少なくとも４つの尖歯が形成され、前記少なくとも４つの尖歯が前記歯付き中間子上に対称設置されることを特徴とする、請求項１に記載の雄雌留め具。
【請求項６】
前記歯付き中間子上には、前記歯付き中間子を取外自在にするための取付孔が形成されていることを特徴とする、請求項１に記載の雄雌留め具。
【発明の詳細な説明】
【技術分野】
【０００１】
本発明は、包装箱体の連結具に係り、特に、紙材や木材などの包装箱体の縫合に適用する雄雌留め具(snap fasterner)に関する。
【背景技術】
【０００２】
従来から貨物の包装に使用されている包装箱のうち、かなりの部分が板紙で製造され、その包装箱体は、一般に、個体が大きく、かなりの受承圧及び衝突に抗する強度を有する。
【０００３】
特許文献１（出願公開番号：ＣＮ１０１９６６８８１Ａ、出願日：２０１０年０８月２３日）には、１種の連結ネジに関する発明特許が開示されており、主に貨物包装箱の縫合連結に用いられる。係る発明特許は、ナットと、六角ボルトと、歯付き中間子と、止め輪中間子と、鍋形中間子とを備え、ナットと歯付き中間子とをリベット接続することにより第１連結ユニットに構成され、鍋形中間子を六角ボルトの六角ボルトヘッド付き端に螺接することにより第２連結ユニットに構成される。内・外両板紙の縫合連結の時、第１連結ユニットを箱内の一側の板紙に置くと共に、歯付き中間子上の尖歯を前記板紙に刺し込み、第２連結ユニットを箱外の一側の板紙に置き、止め輪中間子とナットとが互いに拘止されると共に、内・外板紙の間に位置し、六角ボルトの自由端とナットとを適宜程度になるまで螺接すれば、内・外両板紙の縫合連結が可能となる。
【０００４】
前記発明特許では、板紙の包装箱の縫合方式として接着剤塗付方式や銅釘打ち方式を採用するがために引き起こされる人手による労働強度の増大、作業効率の低下、板紙を縫合させた包装箱の品質の劣化、外表美観の欠如、企業の生産コストの高騰などの欠点を克服したが、依然として下記の不足が存在している。
【０００５】
その一は、六角ボルトの自由端とナットとを適宜程度になるまで螺接する必要があり、そうしなければ内・外両板紙の縫合連結が不能となる。そのため、現場での包装の時、六角ボルトの締付には、十字ねじ回し（スクリュードライバー、螺旋回し）、レンチやペンチなどの工具に頼らざるを得ないし、現場での包装の開封の時も、工具に頼らざるを得ない。こうして現場での包装または包装の開封には、いくつかの不便さが発生し、包装または開封の現場では、往々にして物が乱雑に散らかっており、工具類もあちこちに出しっ放し、置きっ放しになって必然的にあたりをきょろきょろ探し回わる必要があり、極めて不便である。
【０００６】
その二は、現場での包装または包装の開封の時、六角ボルトの回動操作には、工具に頼らざるを得ないため、速度が遅くなり、作業効率が低下してしまい、企業の包装コストが増加してしまう。
【先行技術文献】
【特許文献】
【０００７】
【特許文献１】中国特許公開第ＣＮ１０１９６６８８１Ａ号公報
【発明の概要】
【発明が解決しようとする課題】
【０００８】
本発明の主要目的は、上記した連結ネジを採用して板紙の包装箱を縫合したり、この類の包装箱を開封したりする時、これらの操作には、工具に頼らざるを得ないがために引き起こされる操作に与える不便、作業効率への影響や企業の包装コストの上昇などの不足を克服し得る雄雌留め具を提供することにある。係る雄雌留め具は、紙材や木材などの包装箱体の縫合連結に適用され、前記雄雌留め具を使用すれば、何ら工具に頼らずとも操作を完了することができ、かつ人手による労働強度の軽減化、速度の高速化、作業の高効率化、企業の包装コストの低減化、板紙を縫合させた包装箱の高品質化、及び外表美観の向上化を可能にする。
【課題を解決するための手段】
【０００９】
上記目的を達成するため、本発明が提供する雄雌留め具(snap fasterner)は、板状を呈し、その上に尖歯が形成される歯付き中間子を備え、さらに係止筒と、鍋形内歯中間子と、係止釘と、係止板とを備え、係止筒は両端底無しの筒体であり、係止筒の内壁上に拘止突起構造が形成され、係止筒の一端が前記歯付き中間子に緊密に連結されることにより雌留め具に構成され、鍋形内歯中間子は鍋形を呈し、かつ中心位置に貫通孔が開設され、貫通孔の周縁が歯状を呈し、鍋形内歯中間子の貫通孔に係止筒が貫挿されることにより、鍋形内歯中間子と係止筒とが互いに拘止され、係止釘は筒状または柱状を呈し、係止釘の一端に拘止釦構造が形成され、係止釘の他端が板状を呈する前記係止板に緊密に連結されることにより雄留め具に構成され、係止釘の拘止釦構造が形成される一端が係止筒内に延びて挿入されることで拘止釦構造と拘止突起構造とを互いに拘束させ、これに従って前記雄留め具と前記雌留め具との係合が実現される。
【発明の効果】
【００１０】
本発明の有益な効果は、以下３点が挙げられる。その一は、包装または開封の現場では、何ら工具に頼らずとも包装操作または開封操作を完了することができ、縫合予定の内板紙と外板紙に雌留め具と雄留め具をそれぞれ置き（雌留め具を外板紙に置く）、鍋形内歯中間子が両板紙の間に位置すれば、雄留め具を雌留め具に押圧されることでこれらの留め具を互いに係合させることになり、この結果、とても手軽に素早い操作が行えると共に、人手による労働強度の軽減化、速度の高速化、作業の高効率化、企業の包装コストの低減化、板紙を縫合させた包装箱の高品質化、及び外表美観の向上化を可能にする。その二は、構造が簡単で容易に製造することができる。その三は、板紙の段ボール箱の縫合連結に適用するのみならず、木板やその他の集成材の包装箱の縫合連結にも適用することができるので、用途広く使用できる。
【図面の簡単な説明】
【００１１】
【図１】本発明の分解斜視模式図である。
【図２】本発明の分解模式図である。
【図３】本発明の組合せ係合状態を示す斜視模式図である。
【図４】本発明の組合せ係合状態を示す模式図である。
【発明を実施するための形態】
【００１２】
図１〜図４に示すように、本発明に係る雄雌留め具は、板状を呈し、その上に尖歯２が形成される歯付き中間子１を備え、さらに係止筒４と、鍋形内歯中間子７と、係止釘９と、係止板１３とを備える。係止筒４は両端底無しの筒体であり、係止筒４の内壁上に拘止突起構造が形成され、係止筒４の一端が前記歯付き中間子１に緊密に連結されることにより雌留め具に構成される。鍋形内歯中間子７は鍋形を呈し、かつ中心位置に貫通孔８が開設され、貫通孔８の周縁が歯状を呈し、鍋形内歯中間子７の貫通孔８に係止筒４が貫挿されることにより、鍋形内歯中間子７と係止筒４とが互いに拘止される。係止釘９は筒状または柱状を呈し、係止釘９の一端に拘止釦構造が形成され、係止釘９の他端が板状を呈する前記係止板１３に緊密に連結されることにより雄留め具に構成される。係止釘９の拘止釦構造が形成される一端が係止筒４内に延びて挿入されることで拘止釦構造と拘止突起構造とを互いに拘束させ、これに従って前記雄留め具と前記雌留め具との係合が実現される。
【００１３】
係止筒４の内壁上に形成される前記拘止突起構造は、係止筒４の筒壁上にパンチプレスされる条形洞５から筒内に向けて延設される筒壁条６（弾性を有する）であり、筒壁条６の長さ方向が係止筒４の長さ方向に沿って配置され、筒壁条６が歯付き中間子１に近接する一端が自由端であり、かつ筒内に向けて延設されて倒鉤(barb)のような拘止突起が形成され、筒壁条６の他端が依然として筒体と一体になるように構成される。
【００１４】
前記筒壁条６が少なくとも１本であり、前記筒壁条６が複数本設置されている時には、それらは係止筒４の筒壁上から同一の深さに位置している。本実施例において、筒壁条６が２本設置されており、前記２本の筒壁条６が対称設置されると共に、同一の深さに位置している。
【００１５】
係止釘９の一端に形成される拘止釦構造は、係止釘９の当該一端から周方向に延出して形成される凸鍔１０と、係止釘９上に作製される台形段部１２とを備え、前記凸鍔１０が錐台状であり、かつ小径端１１が、係止釘９の拘止釦構造が形成される一端が係止筒４内に延びて挿入される伸縮方向の前端に位置するか、または前記凸鍔１０が錐形に製作され、その錐頂が、係止釘９の拘止釦構造が形成される一端が係止筒４内に延びて挿入される伸縮方向の前端に向かって形成され、これにより、拘止釦構造の凸鍔１０は、前記係止筒４内に前記拘止突起を円滑に通過して後退不能に当接係止され、前記台形段部１２の小径端と前記凸鍔１０とを互いに接合し、係止釘９が係止筒４に挿入される時には、台形段部１２により空間を空けることで筒壁条６が依然として内向きに伸展していて前記凸鍔１０と当接係止する。
【００１６】
歯付き中間子１上に少なくとも４つの尖歯２が形成され、これらの尖歯２が歯付き中間子１上に対称設置され、これらの尖歯２が縫合予定の板紙に刺し込まれることにより、歯付き中間子１と板紙とが位置決めされている。
【００１７】
歯付き中間子１上には、歯付き中間子を取外自在にするための取付孔３が形成されている。
【００１８】
本発明を使用して板紙の包装箱に対して縫合連結を行う時には、縫合予定の内板紙と外板紙に雌留め具と雄留め具をそれぞれ置き、具体的には、雌留め具の歯付き中間子１を縫合箇所の内層板紙に置き、歯付き中間子１上の尖歯２を板紙に刺し込み、雄留め具の係止板１３を外層板紙に置き、鍋形内歯中間子７が両板紙の間に位置すれば、雄留め具を雌留め具に押圧されることでこれらの留め具を互いに係合させることになる。
【産業上の利用可能性】
【００１９】
本発明に係る雄雌留め具は、包装または開封の現場では、何ら工具に頼らずとも包装操作または開封操作を完了することができ、その構造が簡単で容易に製造することができると共に、板紙の包装箱の縫合連結に適用するのみならず、木板やその他の集成材の包装箱の縫合連結にも適用することができるので、用途広く使用でき、工業実用性に優れたものである。
【符号の説明】
【００２０】
１：歯付き中間子
２：尖歯
３：取付孔
４：係止筒
５：条形洞
６：筒壁条
７：鍋形内歯中間子
８：貫通孔
９：係止釘
１０：凸鍔
１１：小径端
１２：台形段部
１３：係止板
【図１】
2016520485.tif 000003
【図２】
2016520485.tif 000004
【図３】
2016520485.tif 000005
【図４】
2016520485.tif 000006
【国際調査報告】
2016520485.tif 000007
2016520485.tif 000008
2016520485.tif 000009
2016520485.tif 000010